(57)【要約】本発明は、伝送路（１２）により接続された送信端末（１０）と受信端末（１１）との間で有用情報（１５）を送信する方法であって、送信端末（１０）は、有用情報（１５）に対する制御情報を定義するステップと、フレーム同期ワードと呼ばれる、制御情報に関連付けられた同期ワードを、送信端末（１０）からアクセス可能である関連テーブル（２０）にて検索するステップと、有用情報項目（１５）からデータフレーム（１７）を生成するステップと、伝送路（１２）を介して、フレーム同期ワード及びデータフレームを含むデータストリーム（１４）を送るステップとを実行する。【選択図】  図１
2015534386.tif 000002
【特許請求の範囲】
【請求項１】
伝送路（１２）により接続された送信端末（１０）と受信端末（１１）との間で有用情報項目（１５）を送信する方法であって、前記送信端末（１０）は、
前記有用情報（１５）に対する制御情報項目（２６）を定義するステップ（９０）と、
フレーム同期ワード（１６）と呼ばれる、前記制御情報項目（２６）に関連付けられた同期ワードを、前記送信端末（１０）からアクセス可能であり、異なるそれぞれの制御情報項目（２６）に関連付けられた複数のフレーム同期ワード（１６）を含む関連テーブル（２０）にて検索するステップ（９１）と、
前記有用情報項目（１５）からデータフレーム（１７）を生成するステップ（９２）と、
前記伝送路（１２）を介して、前記フレーム同期ワード（１６）及び前記データフレーム（１７）を含むデータストリーム（１４）を送るステップ（９７）と
を実行することを特徴とする方法。
【請求項２】
前記受信端末（１１）は、
データストリーム（１４）を受信するステップ（１０１）と、
前記受信端末（１１）からアクセス可能な関連テーブル（２０）の各フレーム同期ワード（１６）の存在をデータストリーム（１４）中で検索するステップ（１０７）と、
前記データストリーム（１４）中にフレーム同期ワード（１６）が検出された場合に、関連テーブル（２０）で、検出されたフレーム同期ワード（１６）と関連付けられた制御情報項目（２６）を検索するステップ（１０８）と、
前記制御情報項目（２６）を用いて前記データストリーム（１４）から前記有用情報項目（１５）を抽出するステップ（１０９）と
を実行する、請求項１に記載の方法。
【請求項３】
前記関連テーブル（２０）の各フレーム同期ワード（１６）の存在を検索する前記ステップ（１０７）は、
前記データストリーム（１４）上でスライディングウィンドウ（２２）を移動するステップと、
前記スライディングウィンドウ（２２）の各位置に対して、前記スライディングウィンドウ（２２）の内容と前記関連テーブル（２０）の各フレーム同期ワード（１６）との間の相関を計算するステップと
を含み、
前記検出されたフレーム同期ワード（１６）は、前記相関の全て、及び、前記スライディングウィンドウ（２２）の位置の全てが最大値に到達した前記関連テーブル（２０）の前記フレーム同期ワード（１６）に対応する、請求項２に記載の方法。
【請求項４】
前記スライディングウィンドウ（２２）の内容とフレーム同期ワード（１６）との間の相関が閾値を上回る場合、前記フレーム同期ワード（１６）が保存され、前記関連テーブル（２０）の各フレーム同期ワード（１６）の存在を検索して検出する前記ステップ（１０７）が停止される、請求項３に記載の方法。
【請求項５】
フレーム同期ワード（１６）と制御情報項目（２６）との間の関連テーブル（２０）を生成する方法であって、
可能性のある制御情報項目（２６）の全てを定義するステップ（１１１）と、
前記可能性のある制御情報項目（２６）の数に応じてフレーム同期ワード（１６）の組を定義するステップ（１１２）と、
前記フレーム同期ワード（１６）の組に含まれるフレーム同期ワード（１６）を、可能性のある制御情報項目（２６）のそれぞれに関連付けるステップ（１１３）と
を含むことを特徴とする方法。
【請求項６】
フレーム同期ワード（１６）の組を定義する前記ステップ（１１２）は、
可能性のある制御情報項目（２６）の数に応じて、フレーム同期ワード（１６）の長さ（Ｌ）を、可能性のある制御情報項目（２６）の全てを識別するのに十分となるように定義するステップ（１２０）と、
前記長さ（Ｌ）のワードの配列の組のリストを作成し、生ワード（４０）の組を得るステップ（１２１）と、
前記生ワード（４０）の組をフィルタリングし、前記フレーム同期ワード（１６）の組を得るステップと
を含む、請求項５に記載の方法。
【請求項７】
生ワード（４０）の組をフィルタリングする前記ステップは、
各生ワード（４０）に対して、生ワード（４０）と、基準ワード（４２）に結合した生ワード（４０）を含む関連ワード（４１）との間のスライディング相関を計算するステップ（１２２）と、
前記相関の絶対最大値（ｍａｘ１）と、前記絶対最大値（ｍａｘ１）の次に大きいスライディング相関の極大値（ｍａｘ２）との比を計算するステップ（１２３）と、
前記比が所定の閾値を下回る生ワード（４０）の全てを、生ワード（４０）の組から削除するステップ（１２４）と
を含む、請求項６に記載の方法。
【請求項８】
生ワード（４０）と関連ワード（４１）との間のスライディング相関を計算する前記ステップ（１２２）は、実現数が所定の実現数未満である限りにおいて、
基準ワード（４２）を無作為に生成するステップと、
前記基準ワード（４２）を前記生ワード（４０）に結合することにより関連ワード（４１）を生成するステップと、
前記生ワード（４０）と前記関連ワード（４１）との間のスライディング相関を計算するステップと、
スライディング相関を保存するステップと、
実現数に到達した場合に、スライディング相関の平均値を計算するステップと
を含む、請求項７に記載の方法。
【請求項９】
生ワード（４０）の組をフィルタリングするステップは、
各生ワード（４０）に対して、この生ワード（４０）と、生ワード（４０）の組の他のワードとの間の異なるビットの数を計算するステップ（１２５）と、
結果が閾値未満の場合に、前記生データ（４０）の組から、比較した２つの生ワード（４０）のうちの一方を削除するステップ（１２６）と
を含む、請求項６〜８のいずれか一項に記載の方法。
【請求項１０】
前記生ワード（４０）の組をフィルタリングするステップは、
各生ワード（４０）に対して、前記生ワード（４０）と、基準ワード（４２）に結合した生ワード（４０）を含む関連ワード（４１）との間のスライディング相関を計算するステップ（１２２）と、
前記相関の絶対最大値（ｍａｘ１）と、前記絶対最大値（ｍａｘ１）の次に大きいスライディング相関の極大値（ｍａｘ２）との比を計算するステップ（１２３）と、
前記比が所定の閾値を下回る生ワード（４０）の全てを、前記生ワード（４０）の組から削除するステップ（１２４）と、
残余の生ワード（４０）のそれぞれに対して、この生ワード（４０）と、前記生ワード（４０）の組の他のワードとの間の異なるビットの数を計算するステップ（１２５）と、
結果が閾値未満の場合に、生ワード（４０）の組から、比較した２つの生ワード（４０）のうちの一方を削除するステップ（１２６）と
を含む、請求項７〜９のいずれか一項に記載の方法。
【発明の詳細な説明】
【技術分野】
【０００１】
本発明は、伝送路によりリンクされた送信端末と受信端末との間で有用情報を送信する方法に関する。本発明はまた、送信との関係で使用される関連テーブルを生成する方法に関する。
【０００２】
本発明は、短い（１キロバイト未満）有用情報の送信及び／又は低ビットレート（例えば、１キロヘルツ未満のビット送信周波数）での有用情報の送信への適用に特に有利である。しかしながら、本発明は、より高いビットレートのリンク、及び、より長い有用情報に適用することもできる。
【０００３】
典型的な有用情報のサイズは、データグラム型のメッセージに対応しており、未接続モードで、数バイトから最大で１キロバイト（８キロビット）未満である。メッセージは、典型的には、低ビットレート（１キロビット／秒未満）で、低頻度（１時間当たり数メッセージ）で送信される。本発明は、より具体的には、不連続送信に関する。
【背景技術】
【０００４】
一般に、有用情報項目を、送信端末と受信端末との間で、複数の送信フォーマットで伝送することができる。例えば、有用情報項目は、可能性のある変調（ＢＰＳＫ、ＤＢＰＳＫ、ＯＰＳＫ、１６ＱＡＭ等）及び／又は多種の可能性のある誤り訂正符号及び／又は多数の可能性のある冗長性レベル等を用いて送信することができる。さらに、異なるサイズの有用情報項目を送信することも可能である。
【０００５】
受信端末による有用情報項目の受信を容易にするために、送信端末と受信端末との間で、送信端末に用いられる送信フォーマットに関する制御情報（有用情報項目のサイズ、変調、誤り訂正符号、冗長／パンチング速度等）を送信することが、実務上公知である。
【０００６】
制御情報項目が受信端末によって正しく解釈されない場合は、有用情報項目を解釈するために受信端末が使用する送信フォーマットが、実際に送信端末が使用する送信フォーマットとは異なるものとなるため、有用情報項目が受信端末によって正しく解釈されないであろうことは理解されよう。この問題を解決するために、制御情報項目は、一般に、所定の低スペクトル効率の変調を用い、及び／又は、所定の高冗長レベルの誤り訂正符号を使用するか等によって、信頼性のあるものとされている
【０００７】
さらに、複数の独立した送信端末が送信の瞬間に主導権を有する、複数のアクセスネットワークにおいて、データストリーム中で、有用情報項目の開始を正確に検出することを可能にする手段を実施しなければならない。公知のように、プリアンブルは、全ての受信端末によって識別可能な「フレーム同期」ワードと呼ばれる同期ワードを含んでいる。例えば、データストリームを受信する各受信端末は、データストリームに対する、フレーム同期ワードのスライディング相関を行う。相関の最大の結果が所定の閾値を超える場合には、フレーム同期ワードが、前記最大の結果を得ることが可能となる位置で、データストリーム中に存在すると考えられる。フレーム同期ワードの位置の検出により、受信端末が、データストリーム中での有用情報項目の開始を知ることが可能となる。
【０００８】
したがって、送信端末と受信端末との間での有用情報項目の送信では、フレーム同期ワードと制御情報項目との両方を含むプリアンブルが有用情報項目に先行することができる。プリアンブルのサイズは、特に、有用情報項目が短い場合、及び／又は、制御情報項目が信頼性を目的として高い冗長レベルを有する場合に、有用情報項目のサイズに比べてかなり大きくなり得る。ここで、周波数帯域の使用の有効性は、プリアンブルのサイズと有用情報項目のサイズとの間の比が大きくなるほど、減少する。送信のために使用される周波数帯域が、例えば、数ヘルツから数百ヘルツ程度と狭い場合に、このことは尚更有害となる。
【発明の概要】
【０００９】
本発明は、データストリーム中の有用情報項目の効果的な検出を可能にするように適合されながらも、異なるそれぞれの制御情報項目を表すフレーム同期ワードを複数導入することにより、送信信号におけるプリアンブルのサイズを制限することを提案するものである。
【００１０】
第一の態様によれば、本発明は、伝送路により接続された送信端末と受信端末との間で有用情報項目を送信する方法であって、前記送信端末は、有用情報に対する制御情報項目を定義するステップと、フレーム同期ワードと呼ばれる、前記制御情報項目に関連付けられた同期ワードを、前記送信端末からアクセス可能であり、異なるそれぞれの制御情報項目に関連付けられた複数のフレーム同期ワードを含む関連テーブルにて検索するステップと、前記有用情報項目からデータフレームを生成するステップと、前記伝送路を介して、前記フレーム同期ワード及び前記データフレームを含むデータストリームを送るステップとを実行することを特徴とする。
【００１１】
本発明は、フレーム同期ワード内にすべての制御情報項目を組み込むことによって、プリアンブルのサイズを制限することを可能とする。従来技術によれば、長さＤの制御情報項目と連結された、長さＬのフレーム同期ワードが１つのみ存在し、したがって、プレアンブルは長さが（Ｌ＋Ｄ）であった。本発明によれば、複数の、長さＬのフレーム同期ワードを、それぞれ異なる制御情報項目を表すものとみなし、長さＬが全ての可能性のある制御情報項目を区別するのに十分であることを条件として、プレアンブルの長さをＬとする。従って、本発明は、プリアンブルのサイズを小さくし、かつ、周波数帯域の使用の有効性を向上させることができる。この向上は、有用情報項目が短い場合、及び／又は、使用する周波数帯域が狭い場合には、特に顕著である。
【００１２】
有利には、受信端末は、データストリームを受信するステップと、前記受信端末からアクセス可能な関連テーブルの各フレーム同期ワードの存在をデータストリーム中で検索するステップと、前記データストリーム中にフレーム同期ワードが検出された場合に、関連テーブルで、検出されたフレーム同期ワードと関連付けられた制御情報項目を検索するステップと、制御情報項目を用いて前記データストリームから有用情報項目を抽出するステップとを実行する。
【００１３】
有利には、関連テーブルの各フレーム同期ワードの存在を検索するステップは、データストリーム上でスライディングウィンドウを移動するステップと、スライディングウィンドウの各位置に対して、スライディングウィンドウの内容と関連テーブルの各フレーム同期ワードとの間の相関を計算するステップとを含み、検出されたフレーム同期ワードは、前記相関の全て、及び、スライディングウィンドウの位置の全てが最大値に到達した関連テーブルのフレーム同期ワードに対応する。
【００１４】
有利には、スライディングウィンドウの内容とフレーム同期ワードとの間の相関が閾値を上回る場合、前記フレーム同期ワードが保存され、関連テーブルの各フレーム同期ワードの存在を検索して検出するステップが停止される。これにより、フレーム同期ワード処理操作を制限することが可能になる。
【００１５】
第二の態様によれば、本発明は、フレーム同期ワードと制御情報項目との間の関連テーブルを生成する方法であって、可能性のある制御情報項目の全てを定義するステップと、可能性のある制御情報項目の数に応じてフレーム同期ワードの組を定義するステップと、前記フレーム同期ワードの組に含まれるフレーム同期ワードを、可能性のある制御情報項目のそれぞれに関連付けるステップとを含むことを特徴とする。
【００１６】
有利には、フレーム同期ワードの組を定義するステップは、可能性のある制御情報項目の数に応じて、フレーム同期ワードの長さを、可能性のある制御情報項目の全てを識別するのに十分となるように定義するステップと、前記長さのワードの配列の組のリストを作成し、生ワードの組を得るステップと、生ワードの組をフィルタリングし、フレーム同期ワードの組を得るステップとを含む。フィルタリングの目的は、所定のエラー耐性の基準を満たしていない生ワードを排除することである。
【００１７】
すなわち、フィルタリングは、例えば、エラー許容範囲等の、所定の許容エラー基準を遵守するフレーム同期ワードの組を得るように、互いに弱く相関するフレーム同期ワードを選択することを可能にする。
【００１８】
有利には、生ワードの組をフィルタリングするステップは、各生ワードに対して、生ワードと、基準ワードに結合した生ワードを含む関連ワードとの間のスライディング相関を計算するステップと、該相関の絶対最大値と、前記絶対最大値の次に大きいスライディング相関の極大値との比を計算するステップと、該比が所定の閾値を下回る生ワードの全てを、生ワードの組から削除するステップとを含む。
【００１９】
有利には、生ワードと関連ワードとの間のスライディング相関を計算するステップは、実現数が所定の実現数未満である限りにおいて、基準ワードを無作為に生成するステップと、該基準ワードを生ワードに結合することにより関連ワードを生成するステップと、生ワードと関連ワードとの間のスライディング相関を計算するステップと、スライディング相関を保存するステップと、実現数に到達した場合に、スライディング相関の平均値を計算するステップとを含む。
【００２０】
有利には、生ワードの組をフィルタリングするステップは、各生ワードに対して、この生ワードと、生ワードの組の他のワードとの間の異なるビットの数を計算するステップと、結果が閾値未満の場合に、生データの組から、比較した２つの生ワードのうちの一方を削除するステップとを含む。
【００２１】
有利には、生ワードの組をフィルタリングするステップは、各生ワードに対して、生ワードと、基準ワードに結合した生ワードを含む関連ワードとの間のスライディング相関を計算するステップと、該相関の絶対最大値と、前記絶対最大値の次に大きいスライディング相関の極大値との比を計算するステップと、該比が所定の閾値を下回る生ワードの全てを、生ワードの組から削除するステップと、残余の生ワードのそれぞれに対して、この生ワードと、生ワードの組の他のワードとの間の異なるビットの数を計算するステップと、結果が閾値未満の場合に、生ワードの組から、比較した２つの生ワードのうちの一方を削除するステップとを含む。
【００２２】
したがって、フレームのプリアンブルが、上記して定義されたように、基準ワードとフレーム同期ワードの結合からなる特定の場合には、関連テーブルを生成する方法がこの基準ワードを考慮に入れる。言い換えれば、この特定の場合において、関連テーブルを確立するためのフレーム同期ワードは、この基準ワードに応じて生成される。実際には、この基準ワードは、例えば、送信ビットレートを表し、一般に０と１が交互に並ぶ、いわゆるビット同期ワードとすることができる。このビット同期ワードは、特に、受信機がサンプリング時点やキャリア等を見つけることを可能にする。
【００２３】
したがって、上述の生成方法は、送信されるフレーム内のフレーム同期ワードに先行しなければならない、任意の基準ワードに適合させることができるという利点がある。
【００２４】
また、この生成方法は、制御情報項目間の可能な組合せの数に対する大きさの点で最適化されたフレーム同期ワードを生成することができるという利点を有する。
【００２５】
したがって、この第２の態様によれば、本発明は、例えば、フレーム同期ワードのそれぞれにおけるエラー耐性の許容レベルや、例えば、低ビットレート送信に適合されるプレアンブルの最大サイズ等の、一定数の所定の許容可能な基準に応じて、上記して定義したようにして、フレーム同期ワードを生成し、選択することを可能にするという利点を有している。
【００２６】
特に、本発明の方法によって生成されたフレーム同期ワードは、特に、基準ワードをプリアンブルに含まれなければならない場合に、制御情報項目の最大値を符号化し、送信エラーに対する最大の保護を提供する最小サイズのプリアンブルを得ることを可能にする、
【図面の簡単な説明】
【００２７】
【図１】２つの端末の間での有用情報項目の送信の概略図である。
【図２】本発明の一実施形態に従う、有用情報項目の送信ステップのフロー図である。
【図３】本発明の一実施形態に従う、有用情報項目の受信ステップのフロー図である。
【図４】本発明の一実施形態に従う、制御情報項目を抽出する方法の概略図である。
【図５】本発明の一実施形態に従う、関連テーブルの生成のフロー図である。
【図６】本発明の一実施形態に従う、生ワードをフィルタリングして、フレーム同期ワードの組を構築する方法の概略図である。
【発明を実施するための形態】
【００２８】
本発明は、非限定的な例として与えられる以下の説明を読み、添付の図面を参照することでよりよく理解されるであろう。これらの図において、同一の参照符号は同一又は類似の要素を示す。明確化のために、図示の要素は、特に記載のない限り、正確な縮尺ではない。
【００２９】
図１は、送信端末１０と受信端末１１との間の、伝送路１２を介した通信を示している。伝送路１２は、無線周波数、有線、光学等の任意の公知の種類とすることができる。伝送路１２は、有用情報項目１５をデータストリーム１４の形で方向２７に送信することを可能にする。変形例として、伝送路１２は、双方向送信での通信を可能にすることもできる。
【００３０】
送信端末１０及び受信端末１１は、別個の制御情報項目２６にそれぞれ関連付けられたフレーム同期ワード１６を含む関連テーブル２０にアクセスする。図２〜４に、有用情報項目１５の送信ステップを詳細に示す。
【００３１】
まず、有用情報項目１５は、送信端末１０上に含まれる。有用情報項目の送信に望ましい送信フォーマット（上記参照）に応じて、制御情報項目２６を定義する（ステップ９０）。制御情報項目２６は、有用情報項目１５のサイズ、再送信インデックス、スクランブルモード、有用情報項目１５の暗号化フラグ、プロトコルバージョンとすることができる。要するに、考慮するプロトロルに応じた、データの抽出のために事前に必要な基本情報の全てとすることができる。
【００３２】
制御情報項目２６は、１つ以上のパラメータを含み、パラメータの可能な組み合わせの数と同数の制御情報項目２６が存在する。
【００３３】
制御情報項目２６は、制御情報項目２６の可能性のそれぞれがフレーム同期ワード１６に対応した関連テーブル２０中に予め設定されている。変形例として、使用される送信フォーマットのパラメータの幾つかを、（例えば、パラメータのこの部分が過剰な数の組み合わせを表す、すなわち、フレーム同期ワードの数が受信端末で検索するのに多すぎる場合に）、フレーム同期ワード１６と有用情報項目１５との間で送信される制御情報項目の形で従来のように送信することができる。有用情報項目１５の送信時に、フレーム同期ワード１６は、制御情報項目２６に応じて関連テーブル２０からを抽出される（ステップ９１）。
【００３４】
伝送路１２を介して有用情報項目１５を送信するために、有用情報項目１５は、例えば、データフレーム１７の形に変換される（ステップ９２）。送信が変調を含む場合には、ビット同期ワード２１と呼ばれる周波数同期ワードも生成することができる（ステップ９４）。次いで、ビット同期ワード２１及びフレーム同期ワード１６は、データフレーム１７のプリアンブルを構成する。
【００３５】
プリアンブルは、データフレーム１７に結合され（ステップ９５）、データストリーム１４を形成する。データストリーム１４は、伝送路１２を介して送信される（ステップ９７）前に、変調される（ステップ９６）。
【００３６】
変調されたデータストリーム１４を送信するために、受信端末１１は、シンボルの組を受信する（ステップ１０１）。ビット同期ワード２１の検索及び分析（ステップ１０２）により、受信したすべてのシンボルの復調を実施する（ステップ１０３）ことが可能となる。有用情報項目１５の位置を定義するために、フレーム同期ワード１６は、データストリーム１４の上で動かされるスライディングウィンドウ２２により検索される（ステップ１０４）。
【００３７】
スライディングウィンドウ２２の各位置に対して、受信端末１１は、スライディングウィンドウ２２の内容と、関連テーブル２０の全てのフレーム同期ワード１６との相関を計算する。相関の最も高い結果を、対応するフレーム同期ワード１６と共に保存する。結果が閾値以上である場合、例えば、フレーム同期ワード１６を識別し（ステップ１０７）、制御情報項目２６を関連テーブル２０から抽出する（ステップ１０８）。したがって、制御情報項目２６を使用し、受信端末１１は、情報１５を抽出し、修正することができる（ステップ１０９）。さもなければ、フレーム同期ワード１６が明確に識別されない場合には（ステップ１０６）、スライディングウィンドウ２２は、データストリーム１４の上でシフトされる。スライディングウィンドウ２２の全てのシフトの終了時に、フレーム同期ワード１６は、最大相関結果によって識別される。一方、この結果が閾値未満である場合、フレーム同期ワード１６は保存されず、送信は失敗したとみなされる。次いで、受信端末１１は、データストリーム１４を再送信するように送信端末１０に依頼することができる。
【００３８】
図４は、伝送路１２を介して送信されるデータストリーム１４の構造を示している。データストリーム１４は、ビット同期ワード２１と、それに続くフレーム同期ワード１６及びデータフレーム１７を含む。また、図４は、図３においてフロー図の形式で説明した有用情報項目１５の復号処理も概略的に示す。
【００３９】
本発明はまた、図５及び６に記載した関連テーブル２０の生成にも関する。図５の例では、関連テーブル２０は、送信可能な有用情報項目１５の最大サイズ等の複数の所定のパラメータに応じて生成される（ステップ１１０）。可能性のある制御情報項目２６の全てを列挙し（ステップ１１１）、可能性のある制御情報項目２６の数に基づいて、フレーム同期ワード１６の組が定義される。可能性のある制御情報項目２６のそれぞれを、関連テーブル２０中でフレーム同期ワード１６と関連付ける（ステップ１１３）。
【００４０】
このフレーム同期ワード１６の組を定義するために、フレーム同期ワード１６の長さＬを、可能性のある制御情報項目２６の数に応じて計算する（ステップ１２０）。次いで、順列の組を、生ワード４０の組を形成するこの長さＬに対して検索する（ステップ１２１）。変形例として、すべての順列を検索する。各生ワード４０に対して、スライディング相関を、生ワード４０と、基準ワード４２に結合した生ワード４０を含む関連ワード４１との間で計算する（ステップ１２２）。「スライディング相関」という表現は、関連ワード４１上で動かされるスライディングウィンドウの内容と、生ワード４０との間の相関の計算を意味すると理解されるべきである。このスライディング相関は、スライディングウィンドウの各位置の相関値を得ることを可能にする。
【００４１】
好ましくは、基準ワード４２は、データストリーム１４のプリアンブルに使用されるビット同期ワード２１に対応する。変形例として、スライディング相関の計算は、平均相関を提供するために、無作為に生成された複数の基準ワード４２に対して複数回行われる。
【００４２】
図６は、スライディング相関の結果が、絶対最大値ｍａｘ１と呼ばれる最初の最大値が、生ワード４０をそれ自体と比べた場合に１に等しくなることを示している。極大値ｍａｘ２と呼ばれる第２の最大値が、生ワード４０と関連ワード４１の間で多数のビットが類似している場合に出現する。絶対最大値ｍａｘ１と、絶対最大値ｍａｘ１の次に大きい極大値ｍａｘ２との間の比を計算し（ステップ１２３）、フレーム同期ワード１６の検出を損なうことなく、送信においてエラーの発生した可能のあるビット数を明らかにする。したがって、比率が所定の閾値を下回っている生ワード４０の全てを削除する（ステップ１２４）。
【００４３】
残余の生ワード４０をフィルタリングし、近すぎる生ワード４０、すなわち、異なるビットの数が閾値未満のものを排除する。例えば、生ワード４０の近傍を、ハミング距離によって測定し（ステップ１２５）、距離が閾値未満である場合、２つの生ワード４０のうちの一方を削除する（ステップ１２６）。フレーム同期ワード１６を生ワード４０から選択し、関連テーブル２０を生成する。したがって、フレーム同期ワード１６は、それらの送信エラーを制限するように選択される。
【００４４】
したがって、本発明は、有用情報項目１５の送信を伴い、これを確実にするデータの数を制限することを可能とする。本発明は、すべての端末が同等の関連テーブル２０にアクセスすることを必要とするが、本発明は、短い有用情報項目の送信、及び、低ビットレートでの送信に特に有効である。また、フレーム同期ワード１６を生成し、選択する手段は、制御情報項目２６を確実に送信することが可能となる。
【図１】
2015534386.tif 000003
【図２】
2015534386.tif 000004
【図３】
2015534386.tif 000005
【図４】
2015534386.tif 000006
【図５】
2015534386.tif 000007
【図６】
2015534386.tif 000008
【国際調査報告】
2015534386.tif 000009
2015534386.tif 000010
2015534386.tif 000011
2015534386.tif 000012